(57)【要約】【課題】明細票等の紙葉類に記載された現金取引情報に係る文字を読み取って現金取引処理を簡略化する技術を提供する。【解決手段】現金自動取引装置に配備されているカード処理部１１は、ＯＣＲ機能を有するエンボスリード部３２を備えている。現金振込を行うときに、キャッシュカードや振込カードと同じ外形サイズの振込用補助ケースに、前回の振り込みの際に発行された明細票が挿入される。ただし、明細票を振込用補助ケースに挿入するときには、振込情報がエンボスリード部３２によって読み取れるようにする。そして、現金自動取引装置１は、エンボスリード部３２が読み取った振込情報を表示して、表示された上方の一部を修正することによって、容易に振込情報を作成することを可能にする。【選択図】図２
2009205310.tif 000002
【特許請求の範囲】
【請求項１】
演算処理と制御を司る制御部と、
金融取引に使用するカードの表面のイメージを読み取るイメージ読取部と、
を備え、
前記制御部は、
補助カードを受け付けたときに、前記イメージ読取部によって読み取られた前記補助カードの表面に記載の文字を認識すること、
を特徴とする現金自動取引装置。
【請求項２】
前記補助カードは、
前記金融取引に使用するカードと同じ外形を有し、その内部に空洞を設けて、
前記空洞に現金取引情報を記載された紙葉が挿入されるものであり、
前記補助カードの挿入を促す画面を表示する表示部を備えること、
を特徴とする請求項１に記載の現金自動取引装置。
【請求項３】
前記制御部は、
前記文字を認識した前記現金取引情報を前記表示部に表示し、
前記現金取引情報の変更を受け付ける入力部を備えること、
を特徴とする請求項２に記載の現金自動取引装置。
【請求項４】
前記補助カードは、
前記金融取引に使用するカードと同じ剛性を有し、その表裏のうち少なくとも片面が透明な材質で形成されること、
を特徴とする請求項２に記載の現金自動取引装置。
【発明の詳細な説明】
【技術分野】
【０００１】
本発明は、明細票等の紙葉類に記載された現金取引情報に係る文字を読み取って現金取引処理を簡略化する現金自動取引装置に関する。
【背景技術】
【０００２】
金融機関等に設置され、顧客との間で現金の取引を自動で行う現金自動取引装置は、例えば、振り込みを行うときに、金融機関名、支店名、受取人口座番号、受取人名等の振込先情報と、振込依頼人名、振込依頼人電話番号等の振込元情報とを、依頼人が振込取引の都度入力するように実用化されている。しかしながら、振り込みの度に、振込先情報や振込元情報を入力するため、入力間違いが発生して、振込操作に時間がかかるという問題を生じることがあった。
【０００３】
そのため、特許文献１には、現金自動取引装置が接続されているホストコンピュータ側に、振込元となる依頼人の口座情報に対応させて複数の振込先情報を登録しておき、キャッシュカードから読み取った依頼人の口座情報を基にして、登録しておいた複数の振込先情報を読み出して表示し、依頼人に、その表示の中から目的の振込先を選択させる方法が開示されている（段落０００８参照）。
また、特許文献２には、複数の振込先情報を格納したキャッシュカードサイズの振込専用カードを発行し、その振込専用カードを現金自動取引装置に挿入することによって、複数の振込先を表示させ、依頼人に、その表示の中から目的の振込先を選択させる方法が開示されている（請求項１参照）。
【特許文献１】特開平５−１５１２４６号公報
【特許文献２】特開昭５９−４５５８１号公報
【発明の開示】
【発明が解決しようとする課題】
【０００４】
しかしながら、ホストコンピュータに振込先情報を登録しておく特許文献１に記載の方法では、大規模な記憶容量と、依頼人の検索のための高速処理能力とを必要とし、また維持管理のために費用がかさむ。また、振込専用カードを用いる特許文献２に記載の方法では、振込専用カードを発行する手間と費用がかかるという問題があった。
【０００５】
本発明は、以上のような問題点に鑑みてなされたものであり、明細票等の紙葉類に記載された現金取引情報に係る文字を読み取って現金取引処理を簡略化する現金自動取引装置を提供することを課題とする。
【課題を解決するための手段】
【０００６】
前記した課題を解決するため、本発明に係る現金自動取引装置は、演算処理と制御を司る制御部と、金融取引に使用するカードの表面のイメージを読み取るイメージ読取部と、を備え、前記制御部は、補助カードを受け付けたときに、前記イメージ読取部によって読み取られた前記補助カードの表面に記載の文字を認識すること、を特徴とする。
また、前記補助カードは、前記金融取引に使用するカードと同じ外形を有し、その内部に空洞を設けて、前記空洞に現金取引情報を記載された紙葉が挿入されていること、を特徴とする。
【発明の効果】
【０００７】
本発明によれば、明細票等の紙葉類に記載された現金取引情報に係る文字を読み取って現金取引処理を簡略化することが可能となる。
【発明を実施するための最良の形態】
【０００８】
次に、本発明を実施するための最良の形態（以降、「実施形態」と称す）について、適宜図面を参照しながら詳細に説明する。
【０００９】
≪実施形態≫
本発明の実施形態に係る現金自動取引装置の構成について、図１を用いて説明する。図１は、本発明の一実施形態に係る現金自動取引装置の構成を示す図である。
現金自動取引装置１は、銀行、郵便局、あるいはコンビニエンスストアの営業店等の店舗に設置され、顧客との間で、現金の取引を自動で行う装置である。
現金自動取引装置１は、主制御部１０、カード処理部１１、レシート処理部１２、音声案内部１３、通帳処理部１４、紙幣入出金部１５、硬貨入出金部１６、接客部１９に備えられている入力部１７と表示部１８、記憶部２１、およびインタフェース部２２を備えている。また、電源部２０は、現金自動取引装置１を作動させるための電源を各部（１０〜１９，２１，２２）に供給している。
また、現金自動取引装置１は、通信データの改ざんや盗聴等を防止可能な専用線や電話回線等の通信回線によって、インタフェース部２２を介してホストコンピュータ２３と接続され、処理内容に係る情報をホストコンピュータ２３に送信している。
【００１０】
次に、現金自動取引装置１を構成する各部（１０〜１９，２１，２２）について、以下に説明する。
主制御部１０（制御部）は、演算処理を実行する図示しないＣＰＵ（Central Processing Unit ）と、このＣＰＵが演算処理に用いる主記憶装置である図示しないメインメモリとを備える。メインメモリは、ＲＡＭ（Random Access Memory）等により実現される。そして、図示しないハードディスク等によって構成される記憶部２１に格納されたアプリケーションプログラムがＲＡＭに展開され、ＣＰＵが、それを実行することにより種々の処理を具現化する。また、主制御部１０は、現金自動取引装置１内の各部（１１〜１９，２１，２２）を制御する機能を有する。
なお、記憶部２１は、主制御部１０が実行するプログラムや実行に必要なデータ、および各部（１１〜１９，２１，２２）より取得した種々の情報を蓄積する機能を有する。
【００１１】
カード処理部１１は、金融機関によって発行される、ＩＣカードを含む顧客識別カード（以降、キャッシュカードという）や振込専用カード（以降、振込カードという）に記録されている情報を読み出す機能を備える。なお、キャッシュカードには、磁気ストライプやＩＣチップが装着され、金融機関のコードや顧客の口座番号、氏名等の顧客情報が記録されている。また、振込カードには、振込先機関のコード等の振込情報が記録されている。そして、カード処理部１１は、それらのカードが挿入および返却されるカード挿入返却口３０（図２参照）を備えている。なお、カード処理部１１の内部構成の詳細については、後記する。
【００１２】
レシート処理部１２は、金融取引内容を印字した明細票を発行する。明細票（紙葉類）は、紙片であって、顧客が行った、通帳記帳、残高照会、振り込み、振り替え、送金、定期性預金設定等の金融取引に係る情報や、顧客の口座番号、口座種別、取引金額等の顧客情報が印刷される。
音声案内部１３は、表示部１８に表示された画面に、顧客の注意を喚起するために、図示しない拡声器等により、音声によるアナウンスを行う。
【００１３】
通帳処理部１４は、通帳が挿入および返却される図示しない通帳挿入返却口を備えている。通帳は、金融機関が顧客に対して発行するもので、冊子状になっていて、金融取引の記録が印刷される。また、通帳の表紙または裏表紙には、顧客情報を記録する磁気ストライプ、あるいは、ＩＣチップが装着されている。そして、通帳処理部１４は、顧客情報の読み書きを実行する。
【００１４】
紙幣入出金部１５は、顧客によって入金された紙幣を、真偽鑑別した上で計数して、図示しない金種別保管金庫に収納する。また、紙幣入出金部１５は、顧客に支払う紙幣を金種別保管金庫から取り出して出金する。
【００１５】
硬貨入出金部１６は、顧客によって入金された硬貨を、真偽鑑別した上で計数して、図示しない金種別保管金庫に収納する。また、硬貨入出金部１６は、顧客に支払う硬貨を金種別保管金庫から取り出して出金する。
【００１６】
接客部１９は、現金自動取引装置１の操作面に設けられ、入力部１７と表示部１８とで構成される。表示部１８は、ＣＲＴ（Cathode Ray Tube）やＬＣＤ（Liquid Crystal Display）等によって構成され、取引選択画面、あるいは顧客に操作を促すメッセージを表した画面等を表示する。また、入力部１７は、タッチパネル等によって構成され、表示部１８に表示された画面に対して、指等によって接触された位置を検出して、顧客の応答を取得する。
【００１７】
次に、カード処理部１１の内部構成について、図２を用いて説明する。図２は、カード処理部の内部構成の一例を示す断面図である。
図２に示すように、カード処理部１１は、カード挿入返却口３０、カードリーダ部３１、エンボスリード部３２、およびローラ３３を備えている。
カード挿入返却口３０は、前記したように、図示しないキャッシュカードや振込カード（以降、それらのカードを総称してカードという）が挿入および返却される開口部である。そして、カード挿入返却口３０に挿入されたカードは、ローラ３３によって引き込まれ、搬送路３４を通過する。
【００１８】
カードリーダ部３１は、搬送路３４を通過するカードに記録された情報を読み取る機能を備えている。
また、エンボスリード部３２（イメージ読取部）は、搬送路３４を通過するカードの文字が突設されたエンボス（文字や絵柄を浮き彫りに加工したもの）を読み取る機能と、カードの表面に描かれている文字や絵柄等（イメージ）を光学的に読み取るＯＣＲ（Optical Character Reader）機能とを備えている。
【００１９】
次に、エンボスリード部３２を用いて、明細票等の紙葉類に記載された現金取引情報に係る文字を読み取らせるための、振込用補助ケースについて、図３を用いて説明する。図３（ａ）は、振込用補助ケースと振込用補助ケースに入れる前の明細票とを示す図であり、（ｂ）は、明細票を入れた後の振込用補助ケースの状態を示す図である。
【００２０】
振込用補助ケース４０（補助カード）は、図３（ａ）に示すように、明細票を挿入できるように、側面の１つが空けられた箱状または封筒状になっている。そして、振込用補助ケース４０は、カード処理部１１に挿入可能なカードと同様の形状と大きさを備えている。また、振込用補助ケース４０の硬さは、金融取引に使用するカードと同じ剛性を有しているか、または、カード処理部１１の搬送路３４を反復して通過するような反復使用に耐えられれば良い。また、振込用補助ケース４０は、明細票４１が挿入されたときに、エンボスリード部３２によって明細票４１に記載されている文字等（イメージ）が読み取れるようにするために、少なくとも片面が透けている。なお、振込用補助ケース４０は、その表面が平滑になっていても良い。
明細票４１には、振込情報４６が記載されている。振込情報４６は、少なくとも、振込元情報４３、振込金額４４、および振込先情報４５である。そして、明細票４１は、振込用補助ケース４０に挿入できる大きさにするために、振込情報４６が見えるように折られる。そして、明細票４１が振込用補助ケース４０に挿入される。
その結果、図３（ｂ）に示すように、明細票４１に記載された振込情報４６が、エンボスリード部３２によって読み取れる状態の振込用補助ケース４０ａが作成される。
なお、明細票４１の折り方や、明細票４１を振込用補助ケース４０に挿入する向き等は、振込情報４６が読み取れれば、どの様であっても構わない。
なお、振込用補助ケース４０に挿入する明細票４１は、前回の取引において振り込んだ振込情報４６が記載されていると、修正等の変更が少ないので好ましい。
また、振込用補助ケース４０は、直ちに利用可能なように、現金自動取引装置１の近傍に備えられていることが好ましい。
【００２１】
次に、現金自動取引装置１において実行される現金取引処理の流れを、図４〜図１２を用いて説明する。図４〜図６は、現金自動取引装置において実行される現金取引処理の流れを示す図である。また、図７〜図１２は、現金自動取引装置において実行される現金取引処理の過程で表示される画面の一例を示す図である。
まず、現金自動取引装置１の主制御部１０は、取引内容を選択可能な画面（図７）を表示部１８に表示して待機している（ステップＳ１０１）。そして、主制御部１０は、入力部１７を介して図７に示した「現金振込」メニューが選択されたか否かを判定する（ステップＳ１０２）。ステップＳ１０２において、「現金振込」メニューが選択されていない（ステップＳ１０２でＮｏの）場合には、主制御部１０は、他の取引処理を行う。「現金振込」メニューが選択された（ステップＳ１０２でＹｅｓの）場合には、処理はステップＳ１０３へ進む。
【００２２】
ステップＳ１０３では、主制御部１０は、振込用補助ケース４０を使用するか否かを確認する画面（図８）を表示部１８に表示する。そして、主制御部１０は、振込用補助ケース４０を使用することが、入力部１７を介して図８に示す「はい」か「いいえ」のどちらによって選択されたかを判定する（ステップＳ１０４）。ステップＳ１０４において、振込用補助ケース４０を使用することが選択されていない（ステップＳ１０４でＮｏの）場合には、主制御部１０は、周知の技術を使用した現金振込取引処理を行う（ステップＳ１０５）。振込用補助ケース４０を使用することが選択された（ステップＳ１０４でＹｅｓの）場合には、処理はステップＳ１０６へ進む。
【００２３】
ステップＳ１０６では、主制御部１０は、顧客が振込用補助ケース４０をカード処理部１１に挿入することを促す画面（図９）を表示部１８に表示する。そして、主制御部１０は、振込用補助ケース４０が挿入済であるか否かを判定する（ステップＳ１０７）。ステップＳ１０７において、振込用補助ケース４０が挿入済でない（ステップＳ１０７でＮｏの）場合には、処理はステップＳ１０６へ戻る。振込用補助ケース４０を挿入済である（ステップＳ１０７でＹｅｓの）場合には、処理はステップＳ１０８へ進む。
【００２４】
そして、ステップＳ１０８では、エンボスリード部３２は、ＯＣＲ機能を用いて、挿入用補助ケース４０の中に挿入された明細票４１の振込情報４６（図３（ａ）参照）を読み取る。なお、主制御部１０は、ステップＳ１０４において、振込用補助ケース４０を使用することが選択された（ステップＳ１０４でＹｅｓの）ときに、ＯＣＲ機能を使用することを表す指示情報をエンボスリード部３２に伝達し、ＯＣＲ機能を用いて、挿入用補助ケース４０の中に挿入された明細票４１の振込情報４６を読み取るようにしても良い。
【００２５】
次に、図５に移って、主制御部１０は、エンボスリード部３２が読み取った文字情報（振込情報４６）を認識し、表示部１８に表示する（ステップＳ１０９）。そして、主制御部１０は、エンボスリード部３２が読み取った情報が正しいことが選択されたか否かを判定する（ステップＳ１１０）。読み取った情報が正しくないことが選択された（ステップＳ１１０でＮｏの）場合、主制御部１０は、カード処理部１１を介して、振込用補助ケース４０を排出する（ステップＳ１１１）。そして、主制御部１０は、振込用補助ケース４０を再度使用するかどうかを確認する画面（図１０）を表示部１８に表示する（ステップＳ１１２）。
そして、処理はステップＳ１０４に戻る。
【００２６】
ステップＳ１１０において、読み取った情報が正しいことが選択された（ステップＳ１１０でＹｅｓの）場合、主制御部１０は、読み取った振込金額を表示部１８に表示する。次に、主制御部１０は、読み取った振込金額を修正するか否かを確認する画面（図１１）を表示部１８に表示する。そして、主制御部１０は、振込金額を修正することについて、入力部１７を介して図１１に示す「はい」か「いいえ」のどちらによって選択されたかを判定する（ステップＳ１１４）。ステップＳ１１４において、修正することが選択された（ステップＳ１１４でＹｅｓの）場合には、主制御部１０は、振込金額を修正する画面を表示部１８に表示する（ステップＳ１１５）。そして、主制御部１０は、入力金額を受け付ける。修正することが選択されなかった（ステップＳ１１４でＮｏの）場合には、処理はステップＳ１１６へ進む。
【００２７】
ステップＳ１１６では、主制御部１０は、取引内容（振込情報）を確認する画面（図１２）を表示部１８に表示する。図１２に示す画面には、振込先に係る項目と依頼人（お客様）に係る項目とが表示される。そして、顧客が修正する項目を選択することによって、その項目の修正が行えるようになっている。また、図１２に示す画面は、修正がない場合には、「確認」キーを選択するように表示されている。
【００２８】
そして、主制御部１０は、確認キーが選択されたか否かを判定する（ステップＳ１１７）。確認キーが選択されていない（ステップＳ１１７でＮｏの）場合、主制御部１０は、修正する項目が列挙された修正画面を表示部１８に表示する（ステップＳ１１８）。そして、主制御部１０が修正内容を受け付けた後、処理はステップＳ１１６へ戻る。
確認キーが選択された（ステップＳ１１７でＹｅｓの）場合、処理は、図６に示すステップＳ１１９へ進む。
【００２９】
図６に示すように、ステップＳ１１９では、主制御部１０は、現金投入を促す画面を表示部１８に表示する。そして、主制御部１０は、紙幣入出金部１５および硬貨入出金部１６のいずれか一方または双方を介しての現金投入が済んだか否かを判定する（ステップＳ１２０）。現金投入が済んでいない（ステップＳ１２０でＮｏの）場合、現金自動取引装置１は待機状態となる。また、現金投入が済んだ（ステップＳ１２０でＹｅｓの）場合、処理はステップＳ１２１へ進む。
【００３０】
ステップＳ１２１において、主制御部１０は、現金振込取引処理を実行する。次に、主制御部１０は、カード処理部１１を介して、振込用補助ケース４０を排出する（ステップＳ１２２）。
そして、「現金振込」メニューの処理が終了する。
【００３１】
なお、前記実施形態では、エンボスリード部３２のＯＣＲ機能が文字を読み取るように記載した。しかし、エンボスリード部３２がＯＣＲ機能を設けずにイメージを取得することだけを実行し、主制御部１０が、エンボスリード部３２によって読み取られたイメージを解析して、振込情報を認識するようにしても良い。
明細書４１は、折りやすくするために、予め折り曲げ位置を線等によって印刷したり、あるいは、プレ印刷してあると良い。さらに、明細書４１は、折って振込用補助ケース４０に挿入されるものとしたが、予めミシン目などの切り込みを入れておいて、切り取れるようにしても良い。
また、明細書４１に記載されている振込情報は、文字とバーコードや二次元コードとの併記であっても良い。そして、主制御部１０は、バーコードや二次元コードの方だけを変換して振込情報を認識しても良い。
振込用補助ケース４０は、箱状または袋状としたが、挟み込んで、固定するような機構になっていても良い。さらに、現金自動取引装置１の近くに裁断機を備えて、その裁断機によって明細票４１を厚紙と共にカードのサイズに裁断するとともに、裁断された厚紙にテープで固定する、あるいは、厚紙に糊によって貼り付けるようにしても良い。
【図面の簡単な説明】
【００３２】
【図１】本発明の一実施形態に係る現金自動取引装置の構成を示す図である。
【図２】カード処理部の内部構成の一例を示す断面図である。
【図３】（ａ）は、振込用補助ケースと振込用補助ケースに入れる前の明細票とを示す図であり、（ｂ）は、明細票を入れた後の振込用補助ケースの状態を示す図である。
【図４】現金自動取引装置において実行される現金取引処理の流れを示す図である。
【図５】現金自動取引装置において実行される現金取引処理の流れを示す図である。
【図６】現金自動取引装置において実行される現金取引処理の流れを示す図である。
【図７】現金自動取引装置において実行される現金取引処理の過程で表示される画面の一例を示す図である。
【図８】現金自動取引装置において実行される現金取引処理の過程で表示される画面の一例を示す図である。
【図９】現金自動取引装置において実行される現金取引処理の過程で表示される画面の一例を示す図である。
【図１０】現金自動取引装置において実行される現金取引処理の過程で表示される画面の一例を示す図である。
【図１１】現金自動取引装置において実行される現金取引処理の過程で表示される画面の一例を示す図である。
【図１２】現金自動取引装置において実行される現金取引処理の過程で表示される画面の一例を示す図である。
【符号の説明】
【００３３】
１        現金自動取引装置
１０      主制御部
１１      カード処理部
１５      紙幣入出金部
１６      硬貨入出金部
１７      入力部
１８      表示部
１９      接客部
３０      カード挿入返却口
３１      カードリーダ部
３２      エンボスリード部
４０      振込用補助ケース
４１      明細票
４６      振込情報
【図１】
2009205310.tif 000003
【図２】
2009205310.tif 000004
【図３】
2009205310.tif 000005
【図４】
2009205310.tif 000006
【図５】
2009205310.tif 000007
【図６】
2009205310.tif 000008
【図７】
2009205310.tif 000009
【図８】
2009205310.tif 000010
【図９】
2009205310.tif 000011
【図１０】
2009205310.tif 000012
【図１１】
2009205310.tif 000013
【図１２】
2009205310.tif 000014